(57)【特許請求の範囲】
【請求項１】
レンズ鏡筒の光量調節装置であって、
互いに重なることにより光軸を中心とした第１開口を形成する複数の第１羽根と、
前記第１開口とは異なる径の第２開口を形成する複数の第２羽根と、
前記第１羽根の少なくとも一部および前記第２羽根の少なくとも一部が係合する基板と、
前記第１羽根の少なくとも一部が係合し、前記基板に対して相対回転可能な第１カム部材と、
前記レンズ鏡筒の光軸方向において、前記基板に対して相対的に移動可能な移動部材と、を備え、
前記基板は、前記移動部材と接触する接触部を有し、前記移動部材に対して相対的に回転し、
前記第１カム部材が前記基板に対して相対的に回転することにより、前記第１開口の径が変化し、
前記基板が前記移動部材に対して相対的に回転することにより、前記第２開口の径が変化する光量調節装置。
【請求項２】
請求項１に記載の光量調節装置であって、
前記移動部材が前記基板に対して相対的に移動することにより、前記基板は前記移動部材に対して相対的に回転する光量調節装置。
【請求項３】
請求項１又は２に記載の光量調節装置であって、
前記第１カム部材を前記基板に対して相対回転させる駆動部を備える光量調節装置。
【請求項４】
請求項３に記載の光量調節装置であって、
前記基板が前記移動部材に対して相対的に回転する際、
前記駆動部は、前記第１カム部材を光軸回りに回転しないように保持する光量調節装置。
【請求項５】
請求項１〜４のいずれか１項に記載の光量調節装置であって、
前記第２開口の径は、前記レンズ鏡筒の開放径である光量調節装置。
【請求項６】
請求項１〜５のいずれか１項に記載の光量調節装置であって、
前記第２羽根の少なくとも一部が係合する第２カム部材を備え、
前記基板は、前記第２カム部材に対して相対的に回転する光量調節装置。
【請求項７】
請求項１〜６のいずれか１項に記載の光量調節装置を備える光学機器。
【発明の詳細な説明】
【技術分野】
【０００１】
本発明は、光量調節装置および光学機器に関するものである。
【背景技術】
【０００２】
従来、焦点距離や撮影距離に連動して開放口径を決定する絞り（いわゆる副絞り）と、ステッピングモータを用いて絞り口径を変化させる絞り（いわゆる主絞り）とがそれぞれ設置されて光量調節装置がある（特許文献１参照）。
特許文献１では、開放口径を変化させる副絞りの駆動はメカ的に行われている。一方、主絞りの絞り口径の補正は、絞り口径を変化させるカム部材の回転量を電気的に補正することで行われている。特許文献１のように、主絞りと副絞りとを設ける場合、部品点数が増えてしまうという課題があった。
【先行技術文献】
【特許文献】
【０００３】
【特許文献１】特開平９−２８１５４５号公報
【発明の概要】
【０００４】
本発明は、レンズ鏡筒の光量調節装置であって、互いに重なることにより光軸を中心とした第１開口を形成する複数の第１羽根と、前記第１開口とは異なる径の第２開口を形成する複数の第２羽根と、前記第１羽根の少なくとも一部および前記第２羽根の少なくとも一部が係合する基板と、前記第１羽根の少なくとも一部が係合し、前記基板に対して相対回転可能な第１カム部材と、前記レンズ鏡筒の光軸方向において、前記基板に対して相対的に移動可能な移動部材と、を備え、前記基板は、前記移動部材と接触する接触部を有し、前記移動部材に対して相対的に回転し、前記第１カム部材が前記基板に対して相対的に回転することにより、前記第１開口の径が変化し、前記基板が前記移動部材に対して相対的に回転することにより、前記第２開口の径が変化する構成とした。
また、本発明は、光学機器を、上記光量調節装置を備える構成とした。
【図面の簡単な説明】
【０００５】
【図１】本実施形態のレンズ鏡筒が広角の状態の概略的な構成を示す側面図である。
【図２】光量調節装置の側面拡大図である。
【図３】光量調節装置の分解斜視図である。
【図４】光量調節装置と第４移動枠の斜視図であり、（ａ）はレンズ鏡筒が広角の状態、（ｂ）はレンズ鏡筒が望遠の状態を示す。
【発明を実施するための形態】
【０００６】
以下、図面等を参照して、本発明の実施形態について説明する。図１は、本実施形態のレンズ鏡筒１が広角の状態の概略的な構成を示す側面図である。本実施形態のレンズ鏡筒１は、図１において点線で示すカメラボディ２に着脱可能な交換式のレンズ鏡筒１である。
【０００７】
（レンズ鏡筒全体）
レンズ鏡筒１は、マウント７１、第１固定筒１１、第２固定筒１２、第３固定筒１３、第１カム筒２１、第２カム筒２２、第１移動カム筒３１、第２移動カム筒３２、第１移動枠４１、第２移動枠４２（フォーカス群）、第３移動枠４３、第４移動枠４４、フォーカスリング５１、ズームリング５２、および光量調節装置１００を備える。
ただし、レンズ鏡筒１の構成はこれに限定されるものではなく、固定筒、カム筒、移動枠の数や、以下に述べる配置は、本実施形態と異なるものであってもよい。
【０００８】
マウント７１は、カメラボディ２のマウント（図示せず）に着脱可能なバヨネットマウントである。ただし、レンズ鏡筒１とカメラボディ２の着脱構造はバヨネットマウントに限定されるものではない。
マウント７１には、第３固定筒１３が固定され、第３固定筒１３には、第２固定筒１２が固定され、第２固定筒１２には、第１固定筒１１が固定されている。
【０００９】
第１固定筒１１の先端の外径側には、第１移動カム筒３１が光軸ＯＡ方向に移動可能に配置されている。第１移動カム筒３１の先端には、第１移動枠４１が保持されている。
【００１０】
第１固定筒１１の内径側には、第１カム筒２１が回転可能に配置されている。第１カム筒２１の内径側には、第２移動カム筒３２が光軸ＯＡ方向に移動可能に配置されている。
なお、第２移動カム筒３２の内径側には、第２移動枠４２（フォーカス群）が光軸ＯＡ方向に移動可能に配置されている。
【００１１】
第３固定筒１３の外径側には、第２カム筒２２が回転可能に配置されている。また、第３固定筒１３の内径側には、第４移動枠４４が光軸ＯＡ方向に移動可能に配置されている。
【００１２】
第２カム筒２２の外径側には、ズームリング５２が配置されている。また、第２カム筒２２は、不図示の連結キーによって、その回転動作が第１カム筒２１に伝達されるように連結されている。
【００１３】
ズームリング５２を回転させることによって、第２カム筒２２が回転し、それに伴い第１カム筒２１が回転する。この動作によって第１移動カム筒３１、第２移動カム筒３２、第１移動枠４１、第３移動枠４３および第４移動枠４４が光軸ＯＡ方向に直進移動し、ズーミング動作が行われる。
なお、ズーミング動作中において、これらの第１移動カム筒３１、第２移動カム筒３２、第１移動枠４１、第３移動枠４３および第４移動枠４４は、光軸ＯＡ方向への単調な直進移動だけでなく、前進したり後退したりする複雑な動作を行ってもよい。
【００１４】
第１固定筒１１の外径側には、フォーカスリング５１が回転可能に取り付けられている。なお、フォーカスリング５１は不図示の連結キーによって、その回転動作が第２移動枠４２に伝達されるように連結されている。
【００１５】
フォーカスリング５１を回転させることによって、第２移動枠４２が回転する。この動作によって第２移動枠４２が光軸ＯＡ方向に回転しながら移動し、フォーカシング動作が行われる。
第２固定筒１２の内径側には、光量調節装置１００が取り付けられている。
【００１６】
（光量調節装置の構成）
図２は、主絞り羽根１１２および副絞り羽根１１１を備えた光量調節装置１００の側面拡大図である。図３は光量調節装置１００の分解斜視図である。図４は光量調節装置１００と第４移動枠４４の斜視図であり、（ａ）はレンズ鏡筒１が広角の状態、（ｂ）は望遠の状態である。
【００１７】
光量調節装置１００は、固定枠１０１、固定部材１０５、絞り駆動用モータ１２１、第１カム部材１０４、主絞り羽根１１２（第１羽根）、基板１０３、副絞り羽根１１１（第２羽根）および第２カム部材１０２を備える。
これらの固定枠１０１、固定部材１０５、第１カム部材１０４、基板１０３、および第２カム部材１０２は、円環形状が好ましいが、これに限定されず、たとえば円周方向の一部が切りかかれたＣ字型や、外周や内周の一部に切欠きを設けてもよい。
【００１８】
固定枠１０１は、光量調節装置１００の土台となる枠である。固定枠１０１の外周面よりは内径側に、基板１０３と第１カム部材１０４とが回転可能に配置され、第２カム部材１０２と固定部材１０５とが固定されている。
【００１９】
固定部材１０５は、光量調節装置１００のカメラボディ２側に配置されている。固定部材１０５は、絞り駆動用モータ１２１を固定するための円環状部材であり、光軸ＯＡ方向カメラ側に絞り駆動用モータ１２１が取り付けられている。なお、絞り駆動用モータ１２１の取付位置はこれに限定されず、例えば、光軸ＯＡ方向被写体側であってもよい。
【００２０】
絞り駆動用モータ１２１は、本実施形態ではステッピングモータであるが、これに限定されず、他の種類のモータ、例えばＤＣモータ、超音波モータ、ボイスコイルモータなどであってもよい。
絞り駆動用モータ１２１の回転軸には、ピニオンギア１２１ａが取り付けられ、ピニオンギア１２１ａは光軸ＯＡ方向被写体側に突出している。
【００２１】
固定部材１０５の光軸ＯＡ方向被写体側には、第１カム部材１０４が配置されている。第１カム部材１０４は、主絞り羽根１１２を小絞りまで絞り込み可能にするための第１カム溝１０４ａが形成された主絞り用の回転部材（いわゆる主絞り矢車）である。
第１カム部材１０４の外縁には、上述のピニオンギア１２１ａが噛合するセグメントギア１０４ｂが形成されている。なお、動力伝達方法は、動力伝達構造であれば、このようなピニオンギアとセグメントギアの構成に限るものではない。
第１カム部材１０４は、固定枠１０１と固定部材１０５との間に挟み込まれることによって、光軸ＯＡ方向に位置決めされている。第１カム部材１０４の光軸ＯＡ方向の位置決めは、固定枠１０１または固定部材１０５にバヨネット係合などによって行っても良く、特に限定されない。
【００２２】
第１カム部材１０４の被写体側には、主絞り羽根１１２が配置されている。主絞り羽根１１２は、この枚数に限定されないが、本実施形態において９枚設けられ、互いに重なることにより光軸ＯＡを中心とした主絞り開口を形成している。
主絞り羽根１１２は、それぞれ、薄板状部材で形成され、円周方向に湾曲した略三角形状を有している。
主絞り羽根１１２は、それぞれ、第１カム部材１０４の第１カム溝１０４ａに挿入される主絞り移動部１１２ａと、基板１０３の支持孔１０３ｂ（後述）に挿入される主絞り保持部１１２ｂと、を有する。
【００２３】
なお、本実施形態において、主絞り移動部１１２ａと主絞り保持部１１２ｂとはピン形状であるが、これに限定されるものではない。また、例えば基板１０３の支持孔１０３ｂ（後述）に主絞り保持部１１２ｂが挿入される形態を説明したが、これに限定されず、基板１０３にピンを設けて主絞り羽根１１２に穴を設けても良い。
【００２４】
本絞り羽根１１２の被写体側には、基板１０３が配置されている。基板１０３は、主絞り羽根１１２と副絞り羽根１１１とを支持して回転させる回転部材（いわゆるハチノス）である。
【００２５】
基板１０３は、中央が開口した円板部材で、円周に沿って複数の支持孔１０３ａが設けられている。支持孔１０３ａには、主絞り羽根１１２の主絞り保持部１１２ｂと、副絞り羽根１１１の副絞り保持部１１１ｂ（後述）とが交互に挿入される。
【００２６】
支持孔１０３ａは主絞り保持部１１２ｂ用と、副絞り保持部１１１ｂ用とが同じ大きさで光軸ＯＡから同一径に配置されているが、これに限定されず、異なる径に配置されていてもよい。
【００２７】
基板１０３は、固定枠１０１と第２カム部材１０２との間に挟み込まれることによって、光軸ＯＡ方向に位置決めされている。基板１０３の光軸ＯＡ方向の位置決めは、固定枠１０１または第２カム部材１０２にバヨネット係合などによって行っても良く、特に限定されない。また、基板１０３は、図示しないバネによって、被写体側からみたときの反時計回りの方向（図３において矢印Ｘで示す）に付勢されている。
【００２８】
基板１０３の被写体側には、副絞り羽根１１１が配置されている。副絞り羽根１１１は、本実施形態において９枚設けられ、互いに重なることにより光軸ＯＡを中心とした開放口径を規定している。副絞り羽根１１１はそれぞれ、薄板状部材で形成され、円周方向に湾曲した略三角形状を有している。
副絞り羽根１１１はそれぞれ、第２カム部材１０２のカム溝に挿入される副絞り移動部１１１ａと、基板１０３の支持孔１０３ａに挿入される副絞り保持部１１１ｂと、を有する。
【００２９】
なお、本実施形態において、副絞り移動部１１１ａと副絞り保持部１１１ｂとはピン形状であるが、これに限定されるものではない。また、例えば基板１０３の支持孔１０３ｂに副絞り保持部１１１ｂが挿入される形態を説明したが、これに限定されず、基板１０３にピンを設けて主絞り羽根１１２に穴を設けても良い。
【００３０】
基板１０３の外周から光軸ＯＡ方向カメラボディ側に、図３に示すように駆動レバー６２が延びている。駆動レバー６２は、基板１０３の円周部から折れ曲がって第４移動枠４４側に延びる腕状の部分である。駆動レバー６２の先端には、Ｌ字型の掛合部６２ａが形成されている。
なお、駆動レバー６２と連結キー６１（後述）との係合が可能であれば、掛合部６２ａの形状はＬ字型でなくても良く、また、駆動レバー６２と連結キー６１との係合が可能であれば、掛合部６２ａを設けなくてもよい。
【００３１】
基板１０３の被写体側には、第２カム部材１０２が配置されている。第２カム部材１０２は副絞り羽根１１１の開放口径を決定するためのカム溝１０２ａが形成された副絞り用の固定部材、いわゆる副絞り矢車である。
本実施形態によると、主絞りと副絞りが、土台となる一つの固定部材に嵌合させ、一つのユニットとして形成されている。
【００３２】
第４移動枠４４から光軸ＯＡ方向被写体側に向かって、連結キー（連結部）６１が延びている。連結キー６１は、駆動レバー６２の掛合部６２ａと当接して駆動レバー６２を時計回りの方向（矢印Ｘと反対方向）に押圧することにより基板１０３を回転駆動する。
連結キー６１における、掛合部６２ａと当接する側の側面６１ａは、図３に示すように光軸ＯＡ方向の先端側に向かうに従って、図中矢印Ｙの方向（矢印Ｘと反対方向）に傾いている。
なお、本実施形態では、連結キー６１を第４移動枠４４に設けたが、これに限定されず、ズーミング等によって光量調節部材１００との相対距離が変更される場合は、固定部に設けてもよい。
【００３３】
図４（ａ）はレンズ鏡筒１が広角の状態での光量調節装置１００と第４移動枠４４との斜視図であり、連結キー６１と駆動レバー６２との位置関係を示す。
図示するように、レンズ鏡筒１が広角の状態において掛合部６２ａは、連結キー６１の側面６１ａの先端部Ａと当接する。
【００３４】
図４（ｂ）はレンズ鏡筒１が望遠の状態での光量調節装置１００と第４移動枠４４との斜視図であり、連結キー６１と駆動レバー６２との位置関係を示す。
図示するように、レンズ鏡筒１が望遠の状態において掛合部６２ａは、連結キー６１の側面６１ａの基端部Ｂと当接する。
基端部Ｂは先端部Ａに対して、被写体側から見たときに。光軸ＯＡを中心とした周方向において反時計回り（Ｘ方向）に回り込んだ位置にある。
【００３５】
（光量調節装置の動作）
次に、本実施形態のレンズ鏡筒１の光量調節装置１００の動作について説明する。
【００３６】
（主絞り羽根の絞り動作）
主絞り羽根１１２は、第１カム部材１０４と、基板１０３と、絞り駆動用モータ１２１とによって、いわゆる電磁絞りを構成する。
駆動用モータ１２１が駆動されると、ピニオンギア１２１ａとセグメントギア１０４ｂの噛合により、第１カム部材１０４が光軸ＯＡを中心として回転する。
【００３７】
第１カム部材１０４が回転すると、第１カム部材１０４の第１カム溝１０４ａに挿入された主絞り移動部１１２ａの位置が変化する。
この主絞り移動部１１２ａの位置の変化により、主絞り羽根１１２は、基板１０３の支持孔１０３ａに挿入された保持部１１２ｂを中心として回転し、複数の主絞り羽根１１２で規定される絞り径が変更される。
【００３８】
（副絞り羽根の開放径の変更動作）
（広角側）
ここで、レンズ鏡筒１が、図４（ａ）で示す広角の状態の場合、駆動レバー６２の掛合部６２ａは連結キー６１の先端部Ａと当接している。
このとき、副絞り羽根１１１は、図４（ａ）で示すように光量調節装置１００の穴１００ａから若干突き出した状態であり、副絞り羽根１１１で形成される開放径１１１ｃは、最大開放径から若干絞られた径となる。この広角端においては、この状態を開放状態として、撮影時における主絞り羽根１１２の絞り動作が行われる。
【００３９】
（広角から望遠までの間）
ユーザーにより操作されてズームリング５２が回転すると、ズームリング５２と基板１０３とは機械的に連結しているので、基板１０３が回転する。
【００４０】
すなわち、ズームリング５２の回転に連動して、第４移動枠４４が光軸ＯＡ方向に直進移動する。
基板１０３は、上述したように、駆動レバー６２が連結キー６１と当接するように矢印Ｘの方向にバネ付勢されている。
そして、上述したように、連結キー６１における掛合部６２ａと当接する側面６１ａは、図３に示すように光軸ＯＡ方向の先端側に向かって、矢印Ｘと反対の矢印Ｙの方向に傾いている。
このため、第４移動枠４４の基板１０３側への移動により、駆動レバー６２は、連結キー６１の側面６１ａに沿ってＸ方向に回転する。
駆動レバー６２は基板１０３に連結しているため、基板１０３もＸ方向に回転する。
【００４１】
本実施形態において、基板１０３がＸ方向に回転すると、副絞り羽根１１１は開放径１１１ｃを大きくするように移動する。
なお、レンズ鏡筒１は、広角と望遠との中間のどの状態においても、ズームの停止が可能である。そして、その停止された位置において副絞り羽根１１１で形成される径を開放径１１１ｃとして、撮影時における主絞り羽根１１２の絞り動作を行うことができる。また、第１カム部材１０４は、基板１０３がＸ方向に回転する際、駆動用モータ１２１の保持トルク（無通電）により回転せずにＸ方向における位置が固定される。
【００４２】
（望遠側）
レンズ鏡筒１が、図４（ｂ）で示す望遠の状態の場合、駆動レバー６２の掛合部６２ａは、連結キー６１の基端部Ｂと当接する。このとき副絞り羽根１１１は、基板１０３と第１カム部材１０４との間に完全に収納され、開放絞り径は最も大きくなる（上述の光量調節装置１００の穴１００ａの大きさ）。
そして、望遠端においては、この状態を開放状態として、撮影時における主絞り羽根１１２の絞り動作が行われる。
【００４３】
なお、本実施形態では、広角側において光量調節装置１００と第４移動枠４４との間の距離が広く、望遠側において光量調節装置１００と第４移動枠４４との間の距離が狭くなる形態について説明した。しかし、これに限定されず、その逆であってもよい。
【００４４】
（本実施形態の効果）
（１）以上、本実施形態の光量調節装置１００は、ユーザーにより操作されるズームリング５２を有するレンズ鏡筒１の光量調節装置１００である。
この光量調節装置１００は、互いに重なることにより光軸ＯＡを中心とした第１開口を形成する複数の主絞り羽根１１２と、少なくとも一部が主絞り羽根１１２に対向するように配置され、複数の第１カム溝１０４ａを有する第１カム部材１０４と、主絞り羽根１１２に保持され、第１カム溝１０４ａに沿って移動する第１移動部１１２ａと、主絞り羽根１１２の第１カム部材１０４とは反対側に配置され、第１カム部材１０４と光軸ＯＡ回りに相対回転可能な基板１０３と、基板１０３と主絞り羽根１１２とに保持される第１保持部１１２ｂと、第１カム部材１０４を相対回転させる絞り駆動用モータ１２１と、ズームリング５２と機械的に連結され、基板１０３を相対回転させる連結キー６１とを備える。
そして、基板１０３と第１カム部材１０４とが相対回転することにより、第１開口の径が変化する。
【００４５】
本実施形態の光量調節装置１００によると、主絞り羽根１１２の絞り口径の補正は、ズームリング５２と機械的に連結されて基板１０３を相対回転させる連結キー６１により行われる。
たとえば、絞り口径を変化させるカム部材の回転量を電気的に補正することで主絞りの絞り口径の補正を行う場合と比較すると、主絞り口径の補正を、より簡便に行うことができる。
単に、ズームリング５２を回転することにより、その回転と連動して機械的に絞り羽根１１２の絞り口径の補正が行われるので、電気的な処理が不要であり、消費電力が少なくて済む。
また、通電していない状態でも絞り羽根１１２の絞り口径の補正を行うことができる。
【００４６】
（２）本実施形態の光量調節装置１００によると、ズームリング５２を操作することにより変倍または焦点調節が可能であり、連結キー６１は、変倍または焦点調節の際に光軸ＯＡ方向に移動する第４移動枠４４に固定されている。
【００４７】
これによると、簡易な構成で部品点数を増やさずに、基板１０３を相対回転させて主絞り羽根１１２の絞り口径の補正と、副絞り羽根１１１の開放径１１ｃの変更とができる。
【００４８】
（３）本実施形態の光量調節装置１００によると、連結キー６１が基板１０３を相対回転させる際、駆動用モータ１２１は第１カム部材１０４を光軸ＯＡ回りに回転しないように保持する。
これによると、連結キー６１が基板１０３を相対回転させる際に、第１カム部材１０４の光軸ＯＡ回りの回転が防止されるので、安定して基板１０３を相対回転させることができる。
【００４９】
（４）本実施形態の光量調節装置１００によると、レンズ鏡筒１の開放径を規定する第２羽根１１１を備える。
【００５０】
（５）本実施形態の光量調節装置１００によると、レンズ鏡筒１の開放径を規定する第２羽根１１１と、少なくとも一部が第２羽根１１１に対向するように配置され、複数の第２カム溝１０２ａを有し、基板１０３と光軸ＯＡ回りに相対回転可能な第２カム部材１０２と、第２羽根１１１に保持され、第２カム溝１０２ａに沿って移動する第２移動部１１１ａと、基板１０３と第２羽根１１１とに保持される第２保持部１１１ｂとを備え、駆動レバー６２は、基板１０３を第１カム部材１０４および第２カム部材１０２に対して相対回転させる。
【００５１】
比較形態として、主絞りおよび副絞りがそれぞれ、絞り羽根と、その絞り羽根を保持する基板と、絞り羽根を保持して回動することで絞り羽根を開閉動作させて絞り口径を変化させるカム部材と、を備えている場合、円板部材が４枚必要となる。このため、部材の枚数が１枚多いので大型化する。
また、主絞りと副絞りの光軸ズレが生じる可能性がある。
また、副絞りと主絞り羽根とをそれぞれ独立して補正するので、主絞り羽根と副絞り羽根の間に口径ズレが発生しやすくなる。
【００５２】
しかし、本実施形態によると、第２羽根１１１は、第２カム部材１０２と基板１０３とに保持される。ここで、基板１０３は第１羽根１１２の保持部材として共通である。このため光量調節装置１００の小型化が可能である。
【００５３】
また、共通化した部材をズーミングによって回転し、副絞り羽根１１１の開放径を補正するとともに主絞り羽根１１２の絞り口径を補正することで、口径ズレを防ぐことができる。
主絞り羽根１１２と副絞り羽根１１１を一つの部材に嵌合させ、一つのユニットとすることで、光軸ズレを防ぐこともできる。
【００５４】
（変形形態）
以上、説明した実施形態に限定されることなく、以下に示すような種々の変形や変更が可能であり、それらも本発明の範囲内である。
本実施形態は、ズーミング操作の際に、Ｆ値を一定にするために、各焦点距離や撮影距離に応じて絞りの開放口径および絞り口径を補正する形態について説明した。
しかし、本実施形態はそれに限定されず、マクロレンズ等の場合にＦ値を一定にするために、各焦点距離や撮影距離に応じて絞りの開放口径および絞り口径を補正する場合に用いてもよい。
また、本実施形態は、ズーミング操作の際、連結キー６１と駆動レバー６２との係合により基板１０３を回動させるが、基板１０３の回動方法はこの限りではない。例えば、基板１０３から外周側に突出させた部材を設け、ズーミング操作の際に回転する部材に係合させることとしてもよい。また、光量調節装置１００自体が光軸方向前後に動いて、基板１０３が他部材に係合して回転することとしてもよい。また、光量調節装置１００自体が光軸方向前後に動く際、基板１０３は他部材に係合して回転せず、第１カム部材１０４および第２カム部材１０２が回転する等、どんな形であれ基板１０３とカム部材とが相対的に回転していればよい。
【００５５】
本実施形態では光量調節装置１００がレンズ鏡筒１に設けられている例について説明したが、これに限定されず、他の光学機器として、撮像装置、交換レンズに設けてもよい。
なお、実施形態に限らず、他の構成を適宜組み合わせて用いることもできるが、詳細な説明は省略する。また、本発明は以上説明した実施形態によって限定されることはない。
【符号の説明】
【００５６】
１：レンズ鏡筒、２：カメラボディ、１１：第１固定筒、１２：第２固定筒、１３：第３固定筒、２１：第１カム筒、２２：第２カム筒、３１：第１移動カム筒、３２：第２移動カム筒、４１：移動枠、４２：第２移動枠、４３：第３移動枠、４４：第４移動枠、５１：フォーカスリング、５２：ズームリング、６１：連結キー、６１ａ：側面、６２：駆動レバー、６２ａ：掛合部、７１：マウント、１００：光量調節装置、１０１：固定枠、１０２：第２カム部材、１０２ａ：第２カム溝、１０３：基板、１０３ａ：支持孔、１０３ｂ：支持孔、１０４：第１カム部材、１０４ａ：第１カム溝、１０４ｂ：セグメントギア、１０５：固定部材、１１１：第２羽根、１１１ａ：第２移動部、１１１ｂ：保持部、１１２：羽根、１１２ａ：第１移動部、１１２ｂ：第１保持部、１２１：駆動用モータ、１２１ａ：ピニオンギア
【図１】
0006701638.tif 000002
【図２】
0006701638.tif 000003
【図３】
0006701638.tif 000004
【図４】
0006701638.tif 000005